(57)【要約】【課題】支柱の取り付け強度を確保しつつ、支柱の位置を調整可能とし、且つ支柱基端でのごみや水気の堆積を可及的に防止することができる支柱構造を提供する。【解決手段】支柱構造Ａは、建物のベランダや腰壁の縁部に沿って設けられる手摺Ｂを支持する支柱構造であって、防水処理を施されて床上に突出する本体部１ａを備えるアンカー部材１と、本体部１ａに嵌装される筒状の支柱補助部材２と、支柱補助部材２に嵌装されて本体部１ａ及び支柱補助部材２を覆う筒状の支柱本体３とを備え、支柱補助部材２とアンカー部材１との間には、支柱補助部材２のアンカー部材１に対する取り付け角度を調整可能な角度調整機構４と、出入り方向への支柱補助部材２の相対移動を許容する第１位置調整機構５とが設けられ、支柱補助部材２と支柱本体３との間には、支柱本体３の支柱補助部材２に対する延設方向の位置を調整可能な第２位置調整機構６が設けられている。【選択図】    図１
2010275785.tif 000002
【特許請求の範囲】
【請求項１】
建物のベランダや腰壁の縁部に沿って設けられる手摺を支持する支柱構造であって、
防水処理を施されて床上に突出する突出部を備えるアンカー部材と、
該アンカー部材に嵌装される筒状の支柱補助部材と、
該支柱補助部材に嵌装されて前記アンカー部材の突出部及び支柱補助部材を覆う筒状の支柱本体とを備え、
前記支柱補助部材とアンカー部材との間には、当該支柱補助部材のアンカー部材に対する取り付け角度を調整可能な角度調整機構と、前記手摺の延設方向とは直行する方向への支柱補助部材の相対移動を許容する第１位置調整機構とが設けられ、
前記支柱補助部材と支柱本体との間には、当該支柱本体の支柱補助部材に対する前記手摺の延設方向の位置を調整可能な第２位置調整機構が設けられている
ことを特徴とする支柱構造。
【請求項２】
前記角度調整機構は、アンカー部材と支柱補助部材のいずれか一方に設けられた一対の長孔と、いずれか他方に設けられて該アンカー部材に支柱補助部材を嵌装させた状態で前記一対の長孔に重なる一対の貫通孔と、これら長孔及び貫通孔に挿通された状態で設けられる一対のボルトとを備えている
ことを特徴とする請求項１に記載の支柱構造。
【請求項３】
前記第１位置調整機構は、前記手摺の延設方向とは直行する方向に互いに平行な一対の被摺動面を前記アンカー部材と支柱補助部材のいずれか一方に備えると共に、これら一対の被摺動面に接触する一対の摺動面を前記アンカー部材と支柱補助部材のいずれか他方に備えている
ことを特徴とする請求項１又は請求項２に記載の支柱構造。
【請求項４】
前記第２調整機構は、前記手摺の延設方向に平行な一対の被摺動面を前記支柱補助部材と支柱本体のいずれか一方に備えると共に、これら一対の被摺動面に接触する一対の摺動面を前記支柱補助部材と支柱本体のいずれか他方に備えている
ことを特徴とする請求項１乃至請求項３のいずれかに記載の支柱構造。
【請求項５】
前記一対の摺動面及び被摺動面には、複数の溝部が設けられている
ことを特徴とする請求項４に記載の支柱構造。
【請求項６】
前記一対の摺動面の一方は、前記支柱本体の内壁に形成される一対のリブに設けられると共に、前記支柱補助部材には、当該一対のリブに面接触する一対の立ち上がり壁を備え、該一対の立ち上がり壁に前記摺動面の一方に接触する被摺動面が形成されており、
前記支柱本体と支柱補助部材とは、これら一対のリブと立ち上がり壁とが互いに押圧する状態で締結されている
ことを特徴とする請求項３又は請求項４に記載の支柱構造。
【請求項７】
建物のベランダや腰壁の縁部に沿って設けられる手摺を支持する支柱構造であって、
防水処理を施されて床上に突出する突出部を備えるアンカー部材と、
該アンカー部材に嵌装される筒状の支柱補助部材と、
該支柱補助部材に嵌装されて前記アンカー部材の突出部及び支柱補助部材を覆う筒状の支柱本体とを備え、
前記支柱補助部材は、前記アンカー部材に対する取り付け角度を調整可能であると共に前記手摺の延設方向とは直行する方向へ相対移動可能としてアンカー部材に外嵌されており、
前記支柱本体は、前記支柱補助部材に対し前記手摺の延設方向に相対移動可能として当該支柱補助部材に外嵌されている
ことを特徴とする支柱構造。
【発明の詳細な説明】
【技術分野】
【０００１】
本発明は、ベランダや腰壁の縁に沿って設けられる手摺を支持する支柱の構造に関するものである。
【背景技術】
【０００２】
ベランダ等の縁に沿って構成される手摺は、建物の躯体に取り付けたアンカーを床面から起立させ、或いは床面にアンカーを固定しておき、このアンカーに支柱を固定すると共に、固定した支柱に手摺を構成するパネルや桟等の部材を接続して支持するのが一般的である。
【０００３】
例えば、特許文献１に記載された技術は、手摺と建物躯体との熱膨張係数の差異による収縮を吸収し得るように構成したものであり、建物の躯体から起立させたアンカーにベース金具を固定し、このベース金具に手摺支柱ブラケットを固定したスライド金具を嵌め込んで構成したものである。この技術では、スライド金具がベース金具にスライド可能に嵌め込まれているため、支柱をスライド方向である手摺の長手方向に移動させることができる。
【０００４】
また、特許文献２に記載された技術は、上端側にねじを形成した支柱（アンカー）の下端を建物の鉄骨躯体に固定して起立させておき、この支柱の上端に手摺柱脚を螺合し、更に、手摺柱脚の上面に手摺支柱を起立させて固定したものである。
【０００５】
一方、手摺の意匠性の向上をはかるために、支柱の幅寸法を手摺の幅寸法に可及的に接近させることが行われている。このような手摺では、建物の躯体に下端部分を固定すると共にフラットバー状の上端部分を比較的大きい寸法で床面から起立させたアンカーを用い、このアンカーに角柱状の支柱を嵌合させて取り付けるようにしている。
【先行技術文献】
【特許文献】
【０００６】
【特許文献１】特開平０５−０７１２０７号公報
【特許文献２】特開平０４−０３４１６５号公報
【発明の概要】
【発明が解決しようとする課題】
【０００７】
特許文献１の技術では、床やベランダ腰壁等に後付けで支柱を取り付けるように構成されており、取付部の防水性を確保するための構成が複雑なものとなるばかりでなく、支柱の強度を確保し難い虞がある。また支柱ブラケットの構造上、該支柱ブラケットに埃が堆積したり、水気が抜けにくいという虞もある。
【０００８】
また、特許文献２の技術では、手摺支柱の強度を確保するために支柱の座板と手摺柱脚の座板の間をボルトにて圧着する構成であり、これらの座板が床面に露出して見栄えを悪くする虞がある。また、座板に埃が堆積する虞があり、頻繁に掃除をすることが必要になる。
【０００９】
また、建物の躯体に取り付けたアンカーには予め設定された寸法公差が許容されているため、アンカー或いは該アンカーに取り付ける支柱は前記公差を吸収し得るように構成されている。しかし、アンカーをフラットバーによって構成した場合、このフラットバーの床面からの起立寸法は大きく、且つ平面的な面積が小さい。このため、支柱を取り付ける際にフラットバーの幅方向への位置の調整は比較的容易であるものの、厚さ方向への位置の調整が困難であり、アンカーに取り付けた支柱に手摺を取り付ける際の作業に手間がかかるという問題が生じている。
【００１０】
そこで、本発明の目的は、支柱の取り付け強度を確保しつつ、支柱の位置を調整可能とし、且つ支柱基端でのごみや水気の堆積を可及的に防止することができる支柱構造を提供することにある。
【課題を解決するための手段】
【００１１】
上記課題を解決するために本発明に係る支柱構造は、建物のベランダや腰壁の縁部に沿って設けられる手摺を支持する支柱構造であって、防水処理を施されて床上に突出する突出部を備えるアンカー部材と、該アンカー部材に嵌装される筒状の支柱補助部材と、該支柱補助部材に嵌装されて前記アンカー部材の突出部及び支柱補助部材を覆う筒状の支柱本体とを備え、前記支柱補助部材とアンカー部材との間には、当該支柱補助部材のアンカー部材に対する取り付け角度を調整可能な角度調整機構と、前記手摺の延設方向とは直行する方向への支柱補助部材の相対移動を許容する第１位置調整機構とが設けられ、前記支柱補助部材と支柱本体との間には、当該支柱本体の支柱補助部材に対する前記手摺の延設方向の位置を調整可能な第２位置調整機構が設けられているものである。
【００１２】
上記支柱構造に於いて、前記角度調整機構は、アンカー部材と支柱補助部材のいずれか一方に設けられた一対の長孔と、いずれか他方に設けられて該アンカー部材に支柱補助部材を嵌装させた状態で前記一対の長孔に重なる一対の貫通孔と、これら長孔及び貫通孔に挿通された状態で設けられる一対のボルトとを備えていることが好ましい。
【００１３】
また、上記何れかの支柱構造に於いて、前記第１位置調整機構は、前記手摺の延設方向とは直行する方向に互いに平行な一対の被摺動面を前記アンカー部材と支柱補助部材のいずれか一方に備えると共に、これら一対の被摺動面に接触する一対の摺動面を前記アンカー部材と支柱補助部材のいずれか他方に備えていることが好ましい。
【００１４】
また、上記何れかの支柱構造に於いて、前記第２調整機構は、前記手摺の延設方向に平行な一対の被摺動面を前記支柱補助部材と支柱本体のいずれか一方に備えると共に、これら一対の被摺動面に接触する一対の摺動面を前記支柱補助部材と支柱本体のいずれか他方に備えていることが好ましい。
【００１５】
また、上記支柱構造に於いて、前記一対の摺動面及び被摺動面には、複数の溝部が設けられていることが好ましい。
【００１６】
また、上記何れかの支柱構造に於いて、前記一対の摺動面の一方は、前記支柱本体の内壁に形成される一対のリブに設けられると共に、前記支柱補助部材には、当該一対のリブに面接触する一対の立ち上がり壁を備え、該一対の立ち上がり壁に前記摺動面の一方に接触する被摺動面が形成されており、前記支柱本体と支柱補助部材とは、これら一対のリブと立ち上がり壁とが互いに押圧する状態で締結されていることが好ましい。
【００１７】
また、本発明に係る他の支柱構造は建物のベランダや腰壁の縁部に沿って設けられる手摺を支持する支柱構造であって、防水処理を施されて床上に突出する突出部を備えるアンカー部材と、該アンカー部材に嵌装される筒状の支柱補助部材と、該支柱補助部材に嵌装されて前記アンカー部材の突出部及び支柱補助部材を覆う筒状の支柱本体とを備え、前記支柱補助部材は、前記アンカー部材に対する取り付け角度を調整可能であると共に前記手摺の延設方向とは直行する方向へ相対移動可能としてアンカー部材に外嵌されており、前記支柱本体は、前記支柱補助部材に対し前記手摺の延設方向に相対移動可能として当該支柱補助部材に外嵌されているものである。
【発明の効果】
【００１８】
請求項１に係る支柱構造によれば、アンカー部材、支柱補助部材及び支柱本体を順に嵌装してなる３重構成となり、当該アンカー部材が支柱補助部材に連結されることによって支柱の強度が確保される。同時に、アンカー部材に対する支柱補助部材の取付け姿勢を第１調整機構及び角度調整機構によって調整することによって、アンカー部材の突出状態が正規の支柱の取付位置に対してずれていたり、鉛直方向に突出せずに僅かに斜めに傾いた状態である場合であっても、これらずれや傾きは、アンカー部材に支柱補助部材を位置調整した状態で嵌装・取り付けることで修正することができる。さらに、第２調整機構によって支柱補助部材に対する支柱本体の位置を調整することによって、より細やかに支柱の位置を調整することが可能となっているのである。
【００１９】
ここで、アンカー部材と支柱補助部材との間で角度と、例えば手摺の延設方向に対し直交方向の調整をし、支柱補助部材と支柱本体との間で手摺の延設方向の調整を可能としたのは、当該手摺の延設方向は、支柱どうしの間隔を調整するものであって、当該間隔は手摺全体の見栄えにも影響を与えるため、全体を見ながら最終的な微調整を可能とするためである。
【００２０】
例えば、手摺の延設方向をアンカー部材と支柱補助部材との間で調整し得るように構成した場合、微調整を行うたびに支柱本体を外す必要を生じたり、或いは支柱本体の厚さ等を加味した上で調整を行わなければならず、著しく煩雑な作業となる虞がある。また、当該方向をアンカー部材と支柱補助部材との間で調整し得るように構成した場合、これらアンカー部材と支柱補助部材との間で手摺の延設方向の相対移動を可能とする隙間を設ける必要が生じ、これらの間での手摺の延設方向への取付強度を確保しがたく、これによって、支柱全体の取付強度を確保し難いものとなってしまう虞がある。
【００２１】
このため、請求項１に係る支柱構造では、アンカー部材と支柱補助部材との間で角度と手摺の延設方向に対し直交方向との調整を可能とし、支柱補助部材と支柱本体との間で手摺の延設方向への調整を可能とすることで、取付け強度を確保すると共に、支柱間の位置調整も容易に行うことができるものなっているのである。
【００２２】
請求項２に係る支柱構造では、アンカー部材と支柱補助部材とが、一対の貫通孔に取付けられたボルトの軸体廻りに相対回転可能となり、容易に角度調整を行うことができ、アンカー部材の軸心が鉛直から僅かに傾いている場合であっても、支柱補助部材を鉛直に立設させることができる。
【００２３】
請求項３に係る支柱構造では、支柱補助部材は、アンカー部材に対して手摺の延設方向に対し直交方向に相対移動することができる。また、互いに平行な一対の面どうしを擦らせた状態で支柱補助部材を相対移動させることができるため、アンカー部材を挟み込んだ状態で支柱補助部材を相対移動させることができ、該相対移動に伴う支柱補助部材のぶれを防止することができる。
【００２４】
請求項４に係る支柱構造では、支柱本体は、支柱補助部材に対して手摺の延設方向に相対移動することができる。また、互いに平行な一対の面どうしを擦らせた状態で支柱本体を相対移動させることができるため、支柱補助部材を挟み込んだ状態で支柱本体を相対移動させることができ、該相対移動に伴う支柱本体のぶれを防止することができる。
【００２５】
請求項５に係る支柱構造では、各面の溝部どうしが嵌合しあって接触面積が増大することとなり、止めつけ強度を向上させることができる。
【００２６】
請求項６に係る支柱構造では、支柱本体を止めつける場合に、リブと立ち上がり壁どうしを押圧させた状態で留めつけることができ、支柱本体の留めつけ強度の向上を図ることができる。
【００２７】
請求項７に係る支柱構造では、前述の請求項１に係る支柱構造と同様の効果を得ることができる。
【図面の簡単な説明】
【００２８】
【図１】手摺の構成を説明すると共に支柱構造を説明する平断面図である。
【図２】アンカー部材を含む支柱構造を説明する図である。
【図３】アンカー部材に支柱補助部材を嵌装する工程を説明する図である。
【図４】アンカー部材に嵌装した支柱補助部材の調整を行う手順を説明する図である。
【図５】支柱補助部材に支柱本体を嵌装する工程を説明する図である。
【図６】支柱本体と支柱補助部材の断面形状を説明する図である。
【発明を実施するための形態】
【００２９】
以下、本発明に係る支柱構造ついて説明する。本発明に係る支柱構造は、建物のベランダや腰壁の周縁に沿って設ける手摺を支持するためのものであり、床面から起立したアンカー部材と、支柱補助部材と、支柱本体と、を有して構成されている。前記アンカー部材に支柱補助部材を嵌装する際に、支柱補助部材の角度を調整して鉛直方向に設置すると共に一方向（例えば手摺の延設方向に対し直交する方向、以下「出入り方向」という）への位置を調整して手摺の通り芯に一致させて設置し得るように構成されている。更に、手摺の通り芯に一致して鉛直方向に設置された支柱補助部材に支柱本体を嵌装する際に、支柱本体の前記方向に対し直交方向（例えば手摺の延設方向、以下「延設方向」という）への位置を調整して隣接するアンカー部材間に生じた寸法のばらつきを吸収し得るように構成されている。
【００３０】
即ち、建物の躯体に取り付けたアンカー部材には、予め設定された公差範囲内での傾きや出入り方向及び延設方向の位置ずれが生じていることがあり、複数のアンカー部材の通りが一致せず、隣接するアンカー部材の間隔にばらつきが生じることがある。そして、このようなばらつきを、アンカー部材に支柱補助部材を嵌装して角度調整機構、第１位置調整機構を操作し、更に、支柱補助部材に支柱本体を嵌装する第２位置調整機構を操作することで修正することが可能である。
【００３１】
先ず、本実施例に係る支柱構造を採用した手摺の全体構造について図１により簡単に説明する。
【００３２】
図１に示す手摺Ｂは例えばベランダの角縁に沿って設けられたものであり、要所に設置された支柱構造Ａに下枠部材３１が配置されると共に端部が支柱本体３に取り付けたブラケット３２に固定されている。この下枠部材３１の上面には所定の間隔を持って複数の手摺子３３が配置され、両者がねじ等の手段で固定されている。また手摺子３３の上端は、図示しない上枠部材或いは笠木取付部材に固定されており、この上枠部材に図示しない笠木と取り付けることで、手摺Ｂが構成されている。
【００３３】
しかし、手摺Ｂの意匠や構造は上記実施例に限定するものではなく、例えば、支柱構造Ａの間隔や縦方向の寸法に対応した寸法を持った平板状のパネルを用いて構成したものや、手摺子が水平方向に配置され或いは斜めに配置されたものであっても良いことは当然である。
【００３４】
次に、本実施例に係る支柱構造Ａについて図１〜図６を用いて具体的に説明する。
【００３５】
本実施例に係る支柱構造Ａは、下端部分が建物の躯体に固定されて一部が床面から突出するアンカー部材１と、アンカー部材１に嵌装される筒状の支柱補助部材２と、支柱補助部材２に嵌装される筒状の支柱本体３と、を有して構成されている。アンカー部材１と支柱補助部材２との間には角度調整機構４と第１位置調整機構５とが構成されており、支柱補助部材２と支柱本体３の間には第２位置調整機構６が構成されている。
【００３６】
角度調整機構４は、アンカー部材１に嵌装した支柱補助部材２のアンカー部材１に対する角度を調整する機能を有するものである。また第１位置調整機構５は、アンカー部材１に嵌装した支柱補助部材２のアンカー部材１に於ける幅方向の位置を調整する機能を有するものであり、本実施例では手摺Ｂの延設方向に対し直交する方向の位置（出入り方向の位置）を調整するものである。更に、第２位置調整機構６は、支柱補助部材２に嵌装した支柱本体３の支柱補助部材２の厚さ方向の位置を調整する機能を有するものであり、本実施例では手摺Ｂの延設方向の位置を調整するものである。以下、各部材１〜３の姿勢や寸法に関わらず、手摺Ｂの延設方向に対し直交する方向を「出入り方向」といい、手摺Ｂの延設方向を単に「延設方向」という。
【００３７】
アンカー部材１は、Ｌ字型に形成された鋼板からなり、ベランダ等の床面から突出する突出部となり、支柱補助部材２を嵌装するフラットバー状の本体部１ａと、前記Ｌ字状の鋼板の下端部分に設けた固定板１ｂと、を有して構成されている。
【００３８】
アンカー部材１の本体部１ａには、上下方向の予め設定された位置に複数の貫通孔４ａ（本実施例では３個の貫通孔）が形成されている。前記貫通孔４ａは支柱補助部材２に形成した長穴４ｂ、及びボルト４ｃ、ナット４ｄと共に角度調整機構４を構成するものである。アンカー部材１に対する支柱補助部材２の角度を調整するためには、少なくとも一対の貫通孔４ａが形成されていれば良く、それ以上、例えば３個或いは４個形成されていても良い。
【００３９】
角度調整機構４としての機能を発揮するためには、貫通孔４ａ、長孔４ｂの組み合わせてあれば良く、これらの貫通孔４ａ、長孔４ｂの何れをアンカー部材１に形成し、何れを支柱補助部材２に形成するかは限定するものではない。従って、各部材１、２を製造する際に必要な加工を行う際の内容や、利用する工作機械の機能に応じて適宜設定することが好ましい。
【００４０】
本実施例では、アンカー部材１にボルト４ｃを挿通するための丸孔からなる貫通孔４ａを形成し、支柱補助部材２に長孔４ｂを形成して角度調整機構４を構成している。
【００４１】
また、アンカー部材１の本体部１ａの厚さ方向の両表面は、第１位置調整機構５を構成する被摺動面５ａとしての機能を有している。
【００４２】
上記の如く構成されたアンカー部材１は、本体部１ａの幅方向を手摺Ｂの出入り方向に配置して、固定板１ｂを建物の躯体２１を構成する柱の頂部、或いは建物の外周に配置された梁に固定されることで、本体部１ａがベランダ等の床面２２から突出して起立している。
【００４３】
また、床面２２から突出した本体部１ａには、上端側から該本体部１ａの断面形状と略同じ形状を持った嵌装部２３ａと鍔部２３ｂとからなるハット型に成型された合成樹脂製の防水部材２３が嵌装されている。そして、嵌装部２３ａを本体部１ａに接着すると共に、鍔部２３ｂを床面２２に接着或いは融着することで、アンカー部材１と床面２２の間の防水性を確保している。床面より突出するアンカー部材の突出部基端から床面に亘って防水部材を被せる施工でアンカー部材の突出部基端の防水性が確保され、従来は複雑な処理を施していた床面を貫通して突出する部位の防水確保の施工性の向上が図られている。
【００４４】
支柱補助部材２は、アンカー部材１のフラットバー状の本体部１ａに嵌装されて角度調整、及び出入り方向への位置調整が可能なように構成されている。このため、支柱補助部材２は断面が短片２ａ、２ｂと２つの長片２ｃからなる長方形の筒状に形成されており、長手方向の寸法はアンカー部材１の床面２２からの突出寸法よりも大きく、且つ支柱本体３の長さよりも短く形成されている。
【００４５】
尚、本実施例に於いて、短片２ａの肉厚は短片２ｂの肉厚よりも厚く形成されている。
【００４６】
支柱補助部材２の２つの長片２ｃの下端側であってアンカー部材１に形成した貫通孔４ａと対向する位置には、該貫通孔４ａと共に角度調整機構４を構成する長孔４ｂが形成されている。また支柱補助部材２の短辺２ａ、２ｂ方向の内寸法はアンカー部材１の本体部１ａの厚さ寸法と略等しいか或いは僅かに大きく形成されており、長片２ｃの対向する両内面がアンカー部材１に形成した被摺動面５ａと摺動して第１位置調整機構５を構成する摺動面５ｂとして構成されている。更に、支柱補助部材２の長辺２ｃの内寸法はアンカー部材１の本体部１ａの幅寸法よりも大きい寸法（長孔４ｂの長さと等しいか大きい寸法）を持って形成されている。
【００４７】
従って、アンカー部材１に嵌装した支柱補助部材２の角度を調整し、或いは出入り方向の位置を調整する際に、支柱補助部材２を長孔４ｂの限界まで移動させた場合であっても、アンカー部材１の端部が支柱補助部材２の短片２ａ、２ｂの内面に接触することがない。
【００４８】
また、支柱補助部材２の２つの長片２ｃの両外側面であって中央よりも一方の短片２ｂ側に変位した位置には、該支柱補助部材１の長手方向に沿って一対の立ち上がり壁２ｅが立設されている。この立ち上がり壁２ｅの短片２ａ側の面は被摺動面６ａとして形成されており、支柱本体３の内面に立設したリブに形成した摺動面６ｂと共に第２位置調整機構６を構成するものである。前記被摺動面６ａには、支柱補助部材２の長手方向に沿って多数の溝７が形成されている。
【００４９】
支柱補助部材２の短片２ａは、該支柱補助部材２に支柱本体３を固定する際にねじ１０が締結される片となるものである。このため、他の片２ｂ、２ｃと比較して肉厚が厚く形成されている。また短片２ａの外側面はねじ１０の締結に伴って支柱本体１の対向する内面と接触する面となるため、該外側面には支柱補助部材２の長手方向に沿って多数の溝８が形成されている。
【００５０】
尚、図３に示す２ｆは、支柱補助部材２に支柱本体３を嵌装してねじ１０によって固定する際に、該ねじ１０を締結するための下穴である。
【００５１】
支柱本体３は、支柱補助部材２に嵌装されて延設方向への位置調整が可能なように構成されている。このため、支柱本体３は、短片３ａ、３ｂと、２つの長片３ｃとからなる断面が長方形の筒状に形成されている。前記短片３ａは支柱補助部材２の短片２ａと対向する片であり、短片３ｂは短片２ｂと対向する片である。
【００５２】
支柱本体３の２つの長片３ｃの内面であって互いに対向する位置に一対のリブ３ｄが立設されており、該リブ３ｄの短片３ｂ側に摺動面６ｂが形成されている。支柱本体３の短片３ａの内面から摺動面６ｂまでの寸法は、支柱補助部材２の短片２ａの外側面から立ち上がり壁２ｅに設けた被摺動面６ａまでの寸法と等しく構成されている。前記摺動面６ｂには、支柱本体３の長手方向に沿って多数の溝７が形成されている。
【００５３】
また支柱本体３の短片３ａの内面は、該支柱本体３を支柱補助部材２に嵌装して締結する際に短片２ａの外側面と接触する面であり、該短片２ａの外側面と同様に多数の溝８が形成されている。
【００５４】
支柱本体３が支柱補助部材２に嵌装されたとき、被摺動面６ａに摺動面６ｂが接触して第２位置調整機構６を構成し、延設方向への位置調整が可能となる。このため、支柱本体３の短片３ａの上下方向の２箇所に長孔３ｅが形成されている。また支柱本体３の長片３ｃの内面間の寸法は、支柱補助部材２の長片２ｃの外側面間の寸法と一対の立ち上がり壁２ｅの先端間の寸法、及び長孔３ｅの寸法を考慮して設定されている。従って、支柱本体３を支柱補助部材２に嵌装したとき、支柱本体３の短片３ａに形成した長孔３ｅの長さに対応した寸法分延設方向への位置を調整することが可能である。
【００５５】
次に、上記各部材１〜３によって支柱構造Ａを構成する手順について説明する。
【００５６】
アンカー部材１は、建物の躯体２１に於ける複数の位置に配置され、夫々の位置で固定板１ｂを固定することで固定されており、これに伴って本体部１ａが床面２２から突出している。床面２２には防水シートが敷設されており、突出した本体部１ｂに防水部材２３を嵌装して鍔部２３ｂを防水シートに接着又は溶着すると共に、嵌装部２３ａを本体部１ａに接着又は防水テープを巻き付けることで、アンカー部材１と床面２２との防水性を確保している。
【００５７】
図３に示すように、アンカー部材１が建物の躯体２１に固定されることによって床面２２から突出した本体部１ａに支柱補助部材２を嵌装する。このとき、本体部１ａの外表面に形成された被摺動面５ａに支柱補助部材２の内表面に形成された摺動面５ｂが面接触し、両摺動面５ａ、５ｂによって第１位置調整機構５が構成される。
【００５８】
また、支柱補助部材２の出入り方向の内寸法（短片２ａ、２ｂの内面間の寸法）は、アンカー部材１の本体部１ａの出入り方向の寸法と比較して大きい。このため、支柱補助部材２は、本体部１ａとの間に出入り方向への隙間が充分に確保され、該本体部１ａに対する傾斜角度の範囲及び平行移動の範囲が大きい。
【００５９】
図４に示すように、アンカー部材１の本体部１ａに形成した３つの貫通孔４ａに支柱補助部材２に形成した３つの長孔４ｂを夫々一致させ、これらの孔４ａ、４ｂにボルト４ｃを挿通してナット４ｄを螺合して仮止めする。この状態で、支柱補助部材２の鉛直度を確保するように、該支柱補助部材２を本体部１ａに対する角度を調整し、同時に出入り方向の位置を目的の手摺Ｂの通りに一致させるように調整する。
【００６０】
即ち、例えば最も下側に位置するボルト４ｃを角度調整基準として固定しておき、このボルト４ｃを中心として支柱補助部材２を回動させることで、該支柱補助部材２のアンカー部材１の本体部１ａに対する角度を調整することが可能である。また最も下側に位置するボルト４ｃを含む全てのボルト４ｃを仮止め状態としておき、全てのボルト４ｃを長孔４ｂ内で移動させることで、支柱補助部材２を本体部１ａに対し出入り方向に移動させて該方向への位置調整を行うことが可能である。このような角度調整、位置調整を行う間、本体部１ａに形成した被摺動面５ａに対し支柱補助部材２に形成した摺動面が接触して摺動するため、支柱補助部材２は出入り方向の同一平面内で移動することが可能となる。
【００６１】
支柱補助部材２のアンカー部材１の本体部１ａに対する角度を調整して鉛直度を確保し、且つ支柱補助部材２の本体部１ａに対する出入り方向の位置を調整した後、ボルト４ｃ、ナット４ｄを予め設定されたトルクで締結する。このとき、本体部１ａの外表面となる被摺動面５ａと支柱補助部材２の内表面となる摺動面５ｂが互いに接触して摺動するように構成されているため、ボルト４ｃ、ナット４ｄの締結に伴って両部材１、２は互いに強固に一体化する。
【００６２】
図５に示すように、上記の如くして鉛直度及び出入り方向の位置が確保された支柱補助部材２に支柱本体３を嵌装する。このとき、支柱本体３の下端部には予め合成樹脂製のスカート部材１１が装着されており、上端部には図示しない笠木取付部材を固定する固定ブラケット１２が取り付けられている。
【００６３】
支柱本体３を支柱補助部材２に嵌装する際に、支柱本体３の内面に立設したリブ３ｄに形成した摺動面６ｂを支柱補助部材２の外側面に立設した立ち上がり壁２ｅの被摺動面６ａに対向させる。このとき同時に、支柱本体３の短片３ａの内面が支柱補助部材２の短片２ａの外側面とが対向する。そして、支柱本体３の短片３ａに形成した長穴３ｅが支柱補助部材２の短片２ａに形成した下穴２ｆに対向したとき、長孔３ｅにねじ１０を挿通して下穴２ｆに螺合することで、支柱本体３を支柱補助部材２に仮止めする。
【００６４】
支柱本体３を支柱補助部材２に仮止めしたとき、ねじ１０はねじ部分が単に支柱補助部材２の短片２ａに螺合しており、支柱本体３はリブ３ｄの摺動面６ｂが支柱補助部材２の立ち上がり壁２ｅに形成した被摺動面６ａに対し接触した状態となる。このため、支柱本体３は支柱補助部材２に対し延設方向への移動が許容され、該延設方向の位置を調整することが可能である。
【００６５】
即ち、第２位置調整機構６を構成する被摺動面６ａに摺動面６ｂを接触させた状態で、支柱本体３を延設方向の所望の方向に移動させることで、支柱本体３を予め設定された位置に設置することが可能である。このとき、支柱本体３は延設方向の同一平面内で移動することが可能である。また支柱本体３の延設方向への移動と同時に、該支柱本体３の延設方向への倒れを調整して鉛直度を確保することが可能である。
【００６６】
その後、ねじ１０を充分に締結することで、支柱本体３を支柱補助部材２に固定する。ねじ１０の締結に伴って、被摺動面６ａに形成した溝７に摺動面６ｂに形成した溝７が噛合し、同時に支柱本体３の短片３ａの内面に形成した溝８に支柱補助部材２の短片２ａの外側面に係止した溝８が噛合することで、両部材２、３は強固に一体化することが可能となる。
【００６７】
上記の如く、支柱構造Ａは、躯体２１に取り付けられたアンカー部材１の本体部１ａの鉛直方向の傾きや、出入り方向及び延設方向への位置の変動に関わらず、この本体部１ａに支柱補助部材２を嵌装させて鉛直方向の傾きを調整すると共に出入り方向の位置を調整し、更に、支柱補助部材２に支柱本体３を嵌装させて延設方向への位置を調整することが可能となる。従って、支柱本体３を、鉛直度、出入り方向の位置、延設方向の位置を予め設定された位置に確保させることが可能である。
【００６８】
床面２２から突出した複数の本体部１ａに夫々上記の如くして支柱補助部材２、支柱本体３を嵌装して支柱構造Ａを構成した後、支柱本体３の上端部分に取り付けた固定ブラケット１２に図示しない笠木取付部材を固定し、更に、この笠木取付部材に笠木を取り付けることで手摺Ｂを構成することが可能である。
【００６９】
上記の如くして構成された手摺Ｂは、複数の支柱本体３が夫々鉛直度が確保され、且つ出入り方向の位置及び延設方向の位置が予め設定された位置を有することから、手摺Ｂを構成する下枠部材２１の取り付けや、笠木取付部材の取り付けが容易となる。更に、隣接する支柱本体３の間隔が予め設定された間隔を一致することとなり、意匠性を向上させた手摺Ｂを構成することが可能となる。
【産業上の利用可能性】
【００７０】
本発明に係る支柱構造は、ベランダや腰壁の縁に沿って設ける手摺Ｂの支柱を構成する際に利用して有利である。
【符号の説明】
【００７１】
Ａ                      支柱構造
Ｂ                      手摺
１                      アンカー部材
１ａ                    本体部
１ｂ                    固定板
２                      支柱補助部材
２ａ、２ｂ              短片
２ｃ                    長片
２ｅ                    立ち上がり壁
２ｆ                    下穴
３                      支柱本体
３ａ、３ｂ              短片
３ｃ                    長片
３ｄ                    リブ
３ｅ                    長孔
４                      角度調整機構
４ａ                    貫通孔
４ｂ                    長穴
４ｃ                    ボルト
４ｄ                    ナット
５                      第１位置調整機構
５ａ                    被摺動面
５ｂ                    摺動面
６                      第２位置調整機構
６ａ                    被摺動面
６ｂ                    摺動面
７、８                  溝
１０                    ねじ
１１                    スカート部材
１２                    固定ブラケット
２１                    躯体
２２                    床面
２３                    防水部材
２３ａ                  嵌装部
２３ｂ                  鍔部
３１                    下枠部材
３２                    ブラケット
３３                    手摺子
【図１】
2010275785.tif 000003
【図２】
2010275785.tif 000004
【図３】
2010275785.tif 000005
【図４】
2010275785.tif 000006
【図５】
2010275785.tif 000007
【図６】
2010275785.tif 000008